(57)【要約】【課題】  正確に自分が希望する値をゆっくり移動しがなら指定でき、また、数多くの値を通過して移動する場合にはギアを速く回して迅速に希望する値へ移動できるようにするギアを具備したリモートコントロール装置及び前記リモコンを使用してグラフィック使用者インターフェースを使用する方法を提供する。【解決手段】  本発明によるギアを具備したリモートコントロール装置は、所定のキーパッド及び前記キーパッドの操作による所定の信号を出力するマトリックス回路部を含む一般ボタン部と、回転可能な所定のギア及び前記ギアの回転速度又は回転角の大きさによる所定の信号を出力するギア回路部を含むギア部と、前記マトリックス回路部及び前記ギア回路部から出力される信号によって所定の電子機器制御信号を生成する制御部と、前記制御部から生成された信号を外部へ送信する送信部とを含むことを特徴とする。【選択図】  図３
2005204312.tif 000002
【特許請求の範囲】
【請求項１】
所定のキーパッド及び前記キーパッドの操作による所定の信号を出力するマトリックス回路部を含む一般ボタン部と、
回転可能な所定のギア及び前記ギアの回転動作によって所定の信号を出力するギア回路部を含むギア部と、
前記マトリックス回路部及び前記ギア回路部から出力される信号によって所定の電子機器制御信号を生成する制御部と、
前記制御部から生成された信号を外部へ送信する送信部とを含むことを特徴とするギアを具備したリモートコントロール装置。
【請求項２】
前記ギアは、ホイール形態又は円形の歯車形態であることを特徴とする請求項１記載のギアを具備したリモートコントロール装置。
【請求項３】
前記一般ボタン部は、前記ギア部の上端の一側面には第１一般ボタン部が具備され、他側面には第２一般ボタン部が具備されることを特徴とする請求項２記載のギアを具備したリモートコントロール装置。
【請求項４】
前記第１一般ボタン部は、被制御機器の作動状態を調節するための所定のメニュー又はグラフィック使用者インターフェース上の各項目を選択する役割を行い、前記第２一般ボタン部は、前記メニュー又は前記グラフィック使用者インターフェースを呼び出す役割を実行することを特徴とする請求項３記載のギアを具備したリモートコントロール装置。
【請求項５】
前記ギア部は、前記ギアの回転方向によって前記呼び出された所定のメニュー又はグラフィック使用者インターフェース上に羅列された項目との間にカーソル又はハイライトを移動させることを特徴とする請求項４記載のギアを具備したリモートコントロール装置。
【請求項６】
前記ギア部は、前記ギアの回転方向によって被制御機器のチャンネル変更、音量調節又は画面スクロールを実行することを特徴とする請求項４記載のギアを具備したリモートコントロール装置。
【請求項７】
前記カーソル又はハイライトは、前記ギアの特定回転角または前記ギアの歯の一つ分の回転時ごと一定間隔ずつ移動することを特徴とする請求項５又は６に記載のギアを具備したリモートコントロール装置。
【請求項８】
前記ギアの回転速度の変化によって前記カーソル又はハイライトの移動間隔が変化することを特徴とする請求項７記載のギアを具備したリモートコントロール装置。
【請求項９】
前記ギアの瞬間回転速度が所定の臨界値以上である場合、それ以上はギアが回転運動しなくても前記カーソル又はハイライトの移動が持続されることを特徴とする請求項８記載のギアを具備したリモートコントロール装置。
【請求項１０】
前記カーソル又はハイライトの持続的な移動は、前記ギアの押し或いは所定時間の経過により中止されることを特徴とする請求項９記載のギアを具備したリモートコントロール装置。
【請求項１１】
前記ギアの回転によって前記カーソル又はハイライトが前記メニュー又はグラフィック使用者インターフェースに羅列された項目の終りに移動する場合、前記メニュー又はグラフィック使用者インターフェースにディスプレーされなかった隠れた項目がディスプレーされることを特徴とする請求項５記載のギアを具備したリモートコントロール装置。
【請求項１２】
グラフィック使用者インターフェースを呼び出す段階と、
ギアを具備したリモートコントロール装置のギア回転方向によってカーソル又はハイライトが前記グラフィック使用者インターフェースの項目との間を移動する段階と、
所定の項目を選択する段階とを含むことを特徴とするグラフィック使用者インターフェース使用方法。
【請求項１３】
前記カーソル又はハイライトの移動間隔は、前記ギアの特定回転角 又はギアの歯の一つ分の回転時ごと一定間隔ずつ移動することを特徴とする請求項１２記載のグラフィック使用者インターフェース使用方法。
【請求項１４】
前記ギアの回転速度の変化によって前記カーソル又はハイライトの移動間隔が変化することを特徴とする請求項１３記載のグラフィック使用者インターフェース使用方法。
【請求項１５】
前記ギアの瞬間回転速度が所定の臨界値以上である場合、それ以上はギアが回転運動しなくても前記カーソル又はハイライトの移動が持続されることを特徴とする請求項１４記載のグラフィック使用者インターフェース使用方法。
【請求項１６】
前記カーソル又はハイライトの持続的な移動は、前記ギアの押し或いは所定時間の経過により中止されることを特徴とする請求項１５記載のグラフィック使用者インターフェース使用方法。
【請求項１７】
前記ギアの回転によって前記カーソル又はハイライトが前記メニュー又はグラフィック使用者インターフェースに羅列された項目の終りへ移動する場合、前記メニュー又はグラフィック使用者インターフェースにディスプレーされなかった隠れた項目がディスプレーされることを特徴とする請求項１２記載のグラフィック使用者インターフェース使用方法。
【発明の詳細な説明】
【技術分野】
【０００１】
本発明は、ギアを具備したリモートコントロール装置に係り、より詳しくは、ＴＶ、セットトップボックス、ＶＣＲ、ＰＶＲ（Personal Video Recorder）、ＤＶＤプレーヤーなどのように遠隔制御される機能を有する電子機器を遠距離で制御できるように多数の機能キーを有するリモートコントロール（以下、“リモコン”と称する）装置に最近広く利用されているＰＣ用ホイールマウスのホイールボタンと類似なギアを装着したギアを具備したリモートコントロール装置に関する。
【背景技術】
【０００２】
一般的に電子機器を遠隔制御するために赤外線信号方式の無線リモコンが用いられており、初期にはＴＶ、ＶＣＲ、Ａ／Ｖ機器などに限定されたが、その便利さが認定されることによってエアコン、扇風機などにその適用範囲が広がっている。
【０００３】
電子技術の発達により各種機器がもっと便利になることによって機器を遠隔制御するリモコンの使用方法も複雑になって、その機能を理解するにも長時間が必要となっている。一般の使用者はこのようなリモコンの最も基本的な機能だけを使用しており、全部の機能を詳しく知っている人も操作が不便で複雑であるので十分に活用できない実情である。
【０００４】
一方、映像家電機器では、順次的に羅列された目録から使用者が希望する値を指定しなければならない場合がしきりに発生する。その例としては、数十個のＴＶチャンネルの中で見たいチャンネルを選択するか或いは０から１００までの間で音量値を調節すること、設定メニューから希望する機能を選択することなどがある。使用者はリモコンから提供する多様な方法によりこのような値を選択した。しかし、従来技術は使用者が希望する値を選択する過程で次のような不便さがあった。
【０００５】
図１Ａは従来技術による多数のボタンが具備されたリモートコントロールを示す図である。ボタン方式の場合は、チャンネル移動ボタン、音量調節ボタンなど、一般ボタンの中で使用者が希望する値をボタンにより増減させる方式である。図１Ａに示すように、各々のボタンは、映像家電機器を操作するための各種機能を実行するように指定されており、モード転換ボタン11を操作することにより同一ボタンに対してもモードによって相違である機能を実行できるように考案した製品である。
【０００６】
この場合、使用者が希望する値へ移動するためにボタンを多数（場合によっては数十乃至数百番）押さなければならない。この時、ボタンを押している中、自動に反復入力になるようにすることができるが、ボタンが自動に入力される速度を調節できないので速い移動或いは微細な移動が不可能である。また、数字ボタン14を利用して使用者が希望する値を直接入力することもできるが、使用者が希望する項目が数字と対応する必要があり、使用者が各項目に対する数字を覚えていなければならない（例えば、使用者が視聴を希望する特定放送社チャンネル番号を覚えている時は数字入力を通じた速い移動が可能である)問題点があった。
【０００７】
図１Ｂは、従来技術によるジョイスティックが装着されたリモートコントロールを示す図である。ジョイスティックが装着されたリモートコントロールは、一般的に画面上でカーソルを表示し、このカーソルの２次元的な位置を移動させる場合、カーソルが移動する方向を指定する用度でジョイスティック方式のリモコンを利用する。
【０００８】
しかし、ジョイスティック方式の場合もボタン方式と同様に、ジョイスティック16を操作する場合、希望する方向へある程度速く移動できるか調節が不可能である。また、ジョイスティック16は、基本的に２次元的な画面上での位置指定などのために利用するのでチャンネル或いは音量調節などの１次元的な空間での値を選択する用度としてはあまり使用されない。
【０００９】
図１Ｃは、従来技術によるジョグシャトルが装着されたリモートコントロールを示す図である。ジョグシャトルが装着されたリモートコントロールは、ビデオ或いはＤＶＤの再生速度を調節するか一場面ずつ区分して見ようとする時に便利に利用できる。一般的にＴＶチャンネルを移動する時にもジョグシャトル18を利用して移動できるようにすることもある。
【００１０】
しかし、ジョグシャトル方式の場合は、使用者が希望する速度で回すと、そのほど移動できる長所があるが、２次元平面上で円運動しながら回す必要があるので操作性が低いで精巧性が不足であった。
【００１１】
図１Ｄは、従来技術によるジョグシャトル及びスライダーが装着されたリモートコントロールを示す図である。ジョグシャトル及びスライダーが装着されたリモートコントロールは、多数のボタンだけを装着している従来のリモコンに機能モード転換スイッチ２０が長孔2１に沿ってスライディングするように装着してＴＶの機能モードを転換できるようにしたものである。また、このスイッチに各機能モードで使用するマルチ機能キー２６とジョグシャトルダイアル２３を付けて多様な機能を便利に利用できるようにした。
【００１２】
しかし、従来技術によるジョグシャトル及びスライダーが装着されたリモートコントロール方式の場合も、図１Ｃのジョグシャトル方式のリモコンと同一な不便さを有する問題点があった。
【００１３】
一方、特許文献１のディスプレーとボールスイッチを有するリモートコントロール装置は、図２に図示されたことと一緒にホイールとボールスイッチを利用してリモコンにある全ての機能の操作が可能にすることにより機器を迅速に制御できるようにし、リモコン上でディスプレーされるメニュー体系によりクリックで選択されるように使用するディスプレーとボールスイッチを具備したリモコンに関するものである。
【００１４】
しかし、ディスプレーとボールスイッチを有するリモートコントロールの場合にも、ボールスイッチの２次元的な移動により操作性が低いで、リモコンの前部分にディスプレーを具備することにより、却ってリモコンが複雑になる問題点があった。
【特許文献１】韓国公開特許第2002-0014687号公報
【発明の開示】
【発明が解決しようとする課題】
【００１５】
本発明は、上述したような従来技術の問題点を解決するためになされたもので、その目的は、電子機器の使用者が電子機器の希望する項目を容易で迅速正確に選択できるようにするためにリモコンにギアを付着することにより、正確に自分が希望する値をゆっくり移動しがなら指定でき、また、数多くの値を通過して移動する場合にはギアを速く回して迅速に希望する値へ移動できるようにするギアを具備したリモートコントロール装置及び前記リモコンを使用してグラフィック使用者インターフェースを使用する方法を提供することにある。
【課題を解決するための手段】
【００１６】
前記目的を達成するための本発明によるギアを具備したリモートコントロール装置は、所定のキーパッド及び前記キーパッドの操作による所定の信号を出力するマトリックス回路部を含む一般ボタン部と、回転可能な所定のギア及び前記ギアの回転速度又は回転角の大きさによる所定の信号を出力するギア回路部を含むギア部と、前記マトリックス回路部及び前記ギア回路部から出力される信号によって所定の電子機器制御信号を生成する制御部と、前記制御部から生成された信号を外部へ送信する送信部とを含むことを特徴とする。
【００１７】
好ましくは、前記ギアは、ホイール形態又は円形の歯車形態である。
【００１８】
前記一般ボタン部は、前記ギア部の上端の一側面に第１一般ボタン部が具備され、他側面に第２一般ボタン部が具備される。この時、前記第１一般ボタン部は、被制御機器の作動状態を調節するための所定のメニュー又はグラフィック使用者インターフェース上の各項目を選択する役割を行い、前記第２一般ボタン部は、前記メニュー又は前記グラフィック使用者インターフェースを呼び出す役割を実行することが好ましい。
【００１９】
好ましくは、前記ギア部は、前記ギアの回転方向によって前記呼び出された所定のメニュー又はグラフィック使用者インターフェース上に羅列された項目との間にカーソル又はハイライトを移動させることができ、また、前記ギアの回転方向によって被制御機器のチャンネル変更、音量調節又は画面スクロールを実行できる。
【００２０】
好ましくは、前記カーソル又はハイライトは、前記ギアの特定回転角又は前記ギアの歯の一つ分の回転時ごと一定間隔ずつ移動する。
【００２１】
好ましくは、前記ギアの回転速度の変化によって前記カーソル又はハイライトの移動間隔を変化させる。
【００２２】
好ましくは、前記ギアの瞬間回転速度が所定の臨界値以上である場合、それ以上はギアが回転運動しなくても前記カーソル又はハイライトの移動が持続されるようにし、このような場合、前記カーソル又はハイライトの持続的な移動は、前記ギアの押し或いは所定時間の経過により中止される。
【００２３】
好ましくは、前記ギアの回転によって前記カーソル又はハイライトが前記メニュー又はグラフィック使用者インターフェースに羅列された項目の終りへ移動する場合、前記メニュー又はグラフィック使用者インターフェースにディスプレーされなかった隠れた項目がディスプレーされる。
【００２４】
前記目的を達成するための技術的な思想で、本発明によるグラフィック使用者インターフェース使用方法は、グラフィック使用者インターフェースを呼び出す段階と、ギアを具備したリモートコントロール装置のギア回転方向によってカーソル又はハイライトが前記グラフィック使用者インターフェースの項目との間を移動する段階と、所定の項目を選択する段階とを含む。
【００２５】
好ましくは、前記カーソル又はハイライトの移動間隔は、前記ギアの特定回転角またはギアの歯の一つ分の回転時ごと一定間隔ずつ移動する。
【００２６】
好ましくは、前記ギアの回転速度の変化によって前記カーソル又はハイライトの移動間隔が変化する。
【００２７】
好ましくは、前記ギアの瞬間回転速度が所定の臨界値以上である場合、それ以上はギアが回転運動しなくても前記カーソル又はハイライトの移動が持続され、この場合、より好ましくは、前記カーソル又はハイライトの持続的な移動は、前記ギアの押し或いは所定時間の経過により中止される。
【００２８】
好ましくは、前記ギアの回転によって前記カーソル又はハイライトが前記メニュー又はグラフィック使用者インターフェースに羅列された項目の終りへ移動する場合、前記メニュー又はグラフィック使用者インターフェースにディスプレーされなかった隠れた項目がディスプレーされる。
【発明の効果】
【００２９】
以上のように、本発明によると、使用者はホイールボタンを一間ずつ回して使用者が希望する値を選択しようと移動する時の速度調節が可能であり、ゆっくり移動する時には一間ずつ正確な位置移動ができ、速く移動する時には操作が簡単である効果がある。即ち、チャンネル数が数百個にいたる衛星放送の場合、数百個の順次的な値の中で使用者が希望する値を容易に指定できる方法で上下調節ボタン又は数字ボタンの代わりにホイールボタンを使用すると、使用者が緩急を調節しながら簡単に値を指定できる長所がある。
【００３０】
また、数字ボタン或いは上下ボタンなどの多数個のボタンをホイール一つだけで代替するので、リモコンのボタン数を画期的に減らすことができ、一層便利で洗練されたデザインを持つことができる。
【発明を実施するための最良の形態】
【００３１】
以下、添付の図面を参照して本発明の実施例を詳しく説明する。
【００３２】
図３は、発明によるギアを具備したリモートコントロール装置の外観を示す図であり、図４は、本発明によるギアを具備したリモートコントロール装置のブロック構成を示す図である。
【００３３】
本発明によるギアを具備したリモコン装置の構成は、本体部１００と、キーパッド２１０とマトリックス回路部２２０を含む一般ボタン部２００、２５０と、ギア３１０とギア回路部３２０と含むギア部３００と、電源部４００と、無線送信部５００と、マイクロプロセッサー６００からなる。
【００３４】
ここで、一般ボタン部２００、２５０は、ギア部３００の上端の一側面には第１一般ボタン部２００が具備され、他側面には第２一般ボタン部２５０が具備される。もちろん、ボタンの数を３個以上具備しても関係ないが、使用の便宜のために本発明の実施例では２個のボタンを有するものを例示して説明する。
【００３５】
本発明によるギア３１０を装着したリモコンは、マイクロソフト(登録商標)社のIntelliMouse(登録商標)及びホイールが装着された一般的なマウスと類似な構造であり、動作方式も類似である。即ち、ギア３１０は、上下方向へ回すか、クリックすることができる。このようなギアはホイール形態で、又は、ホイールの周辺に一定間隔で孔が形成された円形の歯車形態ですることができる。このようなキーパッド２１０及びギア３１０の操作は、マイクロプロセッサー６００を通じて無線送信部５００から赤外線（ＩＲ）信号又はラジオ周波数（ＲＦ）信号の形態で電子機器へ送信される。
【００３６】
このように送信された信号は、無線受信部が装着された電子機器で信号を受信してＴＶモニターなどのディスプレー装置を通じて使用者が画面上のＧＵＩ（Graphical User Interface）を操作できるようにする。画面上のＧＵＩは、音量調節、チャンネル変更、機器選択、メニュー目録上の項目選択などの１次元的に羅列された多様な値の中で一つの値を使用者が選択するための方法をギア３１０の操作を通じて提供する。
【００３７】
第１一般ボタン部２００は、前記ギア部３００により移動されたメニュー項目を選択する役割をする。また、第２一般ボタン部２５０は、電子機器のＧＵＩを呼び出す場合又は呼び出されたＧＵＩが２個以上である場合は、ＧＵＩとの間のカーソルの移動役割をする。このような構成は一般ＰＣのマウスの左右側ボタンの役割と類似である。即ち、第１一般ボタン部２００は、ＰＣマウスの左側ボタンに該当し、第２一般ボタン部２５０は、ＰＣマウスの右側ボタンに該当する。
【００３８】
一方、ギア部３００は、ギア３１０の回転方向による回転動作によりチャンネルを変更するか、音量調節、メニュー項目の移動、画面スクロールなどの家電機器の画面のＧＵＩに羅列されたメニュー項目の中で、現在使用者により選択されている項目を表示するカーソル又はハイライトを隣接項目で移動させる役割をする。この時、カーソル又はハイライトは、ギアの一定回転角またはギアの歯の一つの分の回転時ごと一定な間隔で移動するように設定できる。
【００３９】
図５は、本発明の一実施例によるリモートコントロール装置で電子機器を動作するための初期ＧＵＩを示す図である。ギア３１０の回転動作により５個のメニュー項目の中で２番目の項目800にカーソルが位置している状態であり、このような選択は第１一般ボタン部２００のキーパッド210のクリックにより選択できる。
【００４０】
ＧＵＩに羅列された項目の数が多すぎてギア３１０を素早く回転しても項目との間の移動に長時間がかかる場合には、ギア３１０の回転速度によってＧＵＩ上の項目との間の移動量を調節できる。例えば、一般的な場合にはギア３１０が一定角度ずつ回転するかギアの歯の一つ分の回転時ごとＧＵＩ上の項目間の移動を表示するカーソル又はハイライトも一つの項目間隔で動くように設定されているが、ギア３１０の回転速度を速くする場合、ギア３１０の一間移動時ごと前記カーソル又はハイライトの移動は多数の項目間隔を一回に移動するように設定することも可能である。
【００４１】
多数の項目を素早く移動するための他の実施例としては、使用者がギア３１０を一定速度以上の速度で一回回転させる場合、使用者がそれ以上はギア３１０を作動させなくてもＧＵＩで一定時間の間、カーソル又はハイライトを移動させることができる。
【００４２】
この時、所定の時間が経過すると、カーソル又はハイライトの移動速度が次第に減少するようにするか、カーソル又はハイライトの移動中に使用者がギア３１０又は第１一般ボタン部２００のキーパッド210を操作する場合、カーソル又はハイライトが停止し、使用者の操作により行われるようにすることも可能である。
【００４３】
また、ＧＵＩに羅列された項目の数が多くて画面に全部表示できない場合には、一部の項目だけを表示させて残りの項目は隠れるが、この時、ギア３１０の回転により画面に表示された項目の終りへ移動すると隠れた項目が表示されるバブルボタン効果を利用できる。
【００４４】
図６は、本発明の一実施例によるグラフィック使用者インターフェース使用方法を示すフローチャートである。
【００４５】
使用者がリモコンの一般ボタン部を使用してグラフィック使用者インターフェースを呼び出すと（Ｓ１１０）、既に設定されたグラフィック使用者インターフェースがディスプレーされる。使用者インターフェースには所定の項目がディスプレーされ、使用者により選択される項目はカーソル又はハイライトの移動により表示される。
【００４６】
使用者はリモコンに具備されたギアを回転させることによりカーソル又はハイライトを移動させ（Ｓ１２０）、リモコンの一般ボタン部を使用して希望する項目が選択できる（Ｓ１３０）。
【００４７】
グラフィック使用者インターフェースの使用方法において、カーソル又はハイライトの移動は、上述のように、リモコンギアの回転速度、回転角度又は回転方向によって調整できる。
【００４８】
本発明は、本発明の技数的思想から逸脱することなく、他の種々の形態で実施することができる。前述の実施例は、あくまでも、本発明の技数内容を明らかにするものであって、そのような具体例のみに限定して狭義に解釈されるべきものではなく、本発明の精神と特許請求の範囲内で、いろいろと変更して実施することができるものである。
【図面の簡単な説明】
【００４９】
【図１Ａ】従来技術による多数のボタンが具備されたリモートコントロールを示す図である。
【図１Ｂ】従来技術によるジョイスティックが装着されたリモートコントロールを示す図である。
【図１Ｃ】従来技術によるジョグシャトルが装着されたリモートコントロールを示す図である。
【図１Ｄ】従来技術によるジョグシャトル及びスライダーが装着されたリモートコントロールを示す図である。
【図２】従来技術によるディスプレーとボールスイッチを有するリモートコントロールを示す図である。
【図３】本発明によるギアを具備したリモートコントロール装置の外観を示す図である。
【図４】本発明によるギアを具備したリモートコントロール装置のブロック構成を示す図である。
【図５】本発明の一実施例によるリモートコントロール装置を動作するための初期ＧＵＩを示す図である。
【図６】本発明の一実施例によるグラフィック使用者インターフェース使用方法を示すフローチャートである。
【符号の説明】
【００５０】
１００    本体部
２００    第１一般ボタン部
２１０    キーパッド
２２０    マトリックス回路部
２５０    第２一般ボタン部
３００    ギア部
３１０    ギア
３２０    ギア回路部
４００    電源部
５００    無線送信部
６００    マイクロプロセッサー
【図１Ａ】
2005204312.tif 000003
【図１Ｂ】
2005204312.tif 000004
【図１Ｃ】
2005204312.tif 000005
【図１Ｄ】
2005204312.tif 000006
【図２】
2005204312.tif 000007
【図３】
2005204312.tif 000008
【図４】
2005204312.tif 000009
【図５】
2005204312.tif 000010
【図６】
2005204312.tif 000011